(57)【要約】【課題】ディスクの種類、消費電力モード等の諸条件に対応してＰＲ係数の変更を行うことができるＰＲＭＬ処理装置を提供することを目的とする。【解決手段】本発明にかかるＰＲＭＬ処理装置は、使用されるディスクの種類や消費電力モードに関する情報である係数選択情報を作成する係数選択情報作成回路１３と、係数選択情報とＰＲ係数とを対にして記憶する係数テーブル１５と、係数テーブル１５から、係数選択情報作成部１３で作成された係数選択情報に合致するＰＲ係数を選択する係数選択回路１４と、波形等化処理を行なう波形等化処理回路１１と、軟判定復号を行う軟判定復号回路１２とからなり、波形等化処理回路１１及び軟判定復号回路１２が前記係数選択回路１４により選択されたＰＲ係数により動作するものである。【選択図】      図１
2004234790.tif 000002
【特許請求の範囲】
【請求項１】
ＰＲ係数を特定するための情報である係数選択情報を作成する係数選択情報作成回路と、
係数選択情報とＰＲ係数とを対にして記憶する係数テーブルと、
前記係数テーブルから、前記係数選択情報作成部で作成された係数選択情報に合致するＰＲ係数を選択する係数選択回路と、
ディスクからの再生信号を入力とし、前記係数選択回路により選択されたＰＲ係数を用いて波形等化処理を行なう波形等化処理回路と、
前記波形等化処理回路の出力を入力とし、前記係数選択回路により選択されたＰＲ係数を用いて軟判定復号を行う復号手段と、を備える、
ことを特徴とするＰＲＭＬ処理装置。
【請求項２】
請求項１に記載のＰＲＭＬ処理装置において、
前記係数選択情報作成回路は、再生を行なうディスクの種類を示す使用ディスク情報を係数選択情報として作成し、
前記係数選択回路は、前記係数選択情報である使用ディスク情報に基づいて、前記係数テーブルから上記ＰＲ係数を選択する、
ことを特徴とするＰＲＭＬ処理装置。
【請求項３】
請求項１に記載のＰＲＭＬ処理装置において、
前記係数選択情報作成回路は、再生モードが通常モードか低電力モードかを示す電力モード情報を係数選択情報として作成し、
前記係数選択回路は、前記係数選択情報である電力モード情報に基づいて、前記係数テーブルからＰＲ係数を選択する、
ことを特徴とするＰＲＭＬ処理装置。
【請求項４】
請求項１に記載のＰＲＭＬ処理装置において、
前記係数選択情報作成回路は、再生を行なうディスクのジッタ情報から判断されたディスクの品質の良否についての情報を係数選択情報として作成し、
前記係数選択回路は、前記係数選択情報であるディスクの品質の良否についての情報に基づいて前記係数テーブルからＰＲ係数を選択する、
ことを特徴とするＰＲＭＬ処理装置。
【請求項５】
請求項１に記載のＰＲＭＬ処理装置において、
前記係数選択情報作成回路は、再生を行なうディスクが書き換え可能ディスクであるか否かの情報を係数選択情報として作成し、
前記係数選択回路は、前記係数選択情報である書き換え可能ディスクであるか否かの情報に基づいて前記係数テーブルからＰＲ係数を選択する、
ことを特徴とするＰＲＭＬ処理装置。
【請求項６】
請求項１に記載のＰＲＭＬ処理装置において、
前記係数選択情報作成回路は、ディスクを高倍速で再生するか否かの情報を係数選択情報として作成し、
前記係数選択回路は、前記係数選択情報である高倍速で再生するか否かの情報に基づいて前記係数テーブルからＰＲ係数を選択する、
ことを特徴とするＰＲＭＬ処理装置。
【請求項７】
請求項１乃至請求項６の何れかに記載のＰＲＭＬ処理装置において、
前記係数テーブルは、前記係数選択情報作成部から与えられる係数選択情報に対して最も適当と思われるＰＲ係数と、該ＰＲ係数を与える係数選択情報とを対にして記憶する、
ことを特徴とするＰＲＭＬ処理装置。
【請求項８】
請求項１乃至請求項６の何れかに記載のＰＲＭＬ処理装置において、
前記係数テーブルに記憶されるＰＲ係数は、同じ係数構成からなるＰＲ係数である、
ことを特徴とするＰＲＭＬ処理装置。
【発明の詳細な説明】
【０００１】
【発明の属する技術分野】
本発明は、光ディスク、磁気ディスクに代表される記録メディアの再生に用いられる信号処理装置に関するものである。
【０００２】
【従来の技術】
通常、ＰＲＭＬ処理装置においては、ＰＲ係数は常に一意に決定されており、一度決定されたＰＲ係数は変更されることは無い。
図４は、従来のＰＲＭＬ処理装置の一例を示す図である。
【０００３】
図４に示すように、従来のＰＲＭＬ処理装置は、ディスクからの再生信号に対して波形等化処理を行なう波形等化処理回路１０１と、波形等化処理回路１０１からの出力信号に対して軟判定復号を行ない、復号信号を出力する軟判定復号回路１０２とからなる。
【０００４】
そして、かかるＰＲＭＬ処理装置は、再生信号に対して予め与えられたＰＲ係数に応じて波形等化処理回路１０１が波形等化処理を行った後、波形等化された信号に対して予め与えられたＰＲ係数に応じて軟判定復号回路１０２が復号処理を行ない、復号信号を得るＰＲＭＬ処理を行う。
【０００５】
そして、このような従来のＰＲＭＬ処理装置は、予め一意に決定されたＰＲ係数を用いて所定のディスクの再生に対応できるよう構成されており、予め決定された一のＰＲ係数に基づいて波形等化処理の目標値や軟判定復号におけるしきい値などを決定していた。
【０００６】
【特許文献１】
特開平０２−１５０１１４号公報
【０００７】
【特許文献２】
特開２０００−５７７０１号公報
【０００８】
【発明が解決しようとする課題】
しかしながら、かかる従来のＰＲＭＬ処理装置では、異なる種類のディスクを再生することを前提としておらず、あるディスクについてはＰＲＭＬ処理により再生できるものの、それ以外のディスクについては再生することができないか、或いはそれ以外のディスクを再生するとしてもＰＲＭＬ処理を行なわず、他の経路で再生して出力するような構成をとっていた。
【０００９】
また、従来のＰＲＭＬ処理装置では、ＰＲ係数が予め一意に決定されているため、ディスクに記録されているデータの再生を低電力モードで行ないたい場合や、ディスクに記録されているデータの品質やデータの読み出し速度に応じて、データの読み出し性能を変更したい場合等であっても、ＰＲ係数を適宜変更して使用することができなかった。
【００１０】
本発明は、前記従来の問題点を解決するためになされたものであり、ディスクの種類、消費電力モード等の諸条件に対応してＰＲ係数の変更を行うことができるＰＲＭＬ処理装置を提供することを目的とする。
【００１１】
【課題を解決するための手段】
前記課題を解決するために、本発明にかかるＰＲＭＬ処理装置は、ＰＲ係数を特定するための情報である係数選択情報を作成する係数選択情報作成回路と、係数選択情報とＰＲ係数とを対にして記憶する係数テーブルと、前記係数テーブルから、前記係数選択情報作成部で作成された係数選択情報に合致するＰＲ係数を選択する係数選択回路と、ディスクからの再生信号を入力とし、前記係数選択回路により選択されたＰＲ係数を用いて波形等化処理を行なう波形等化処理回路と、前記波形等化処理回路の出力を入力とし、前記係数選択回路により選択されたＰＲ係数を用いて軟判定復号を行う復号手段と、を備えることを特徴とするものである。
【００１２】
また、本発明にかかるＰＲＭＬ処理装置は、前記係数選択情報作成回路が、再生を行なうディスクの種類を示す使用ディスク情報を係数選択情報として作成し、前記係数選択回路が、前記係数選択情報である使用ディスク情報に基づいて、前記係数テーブルから上記ＰＲ係数を選択することを特徴とするものである。
【００１３】
また、本発明にかかるＰＲＭＬ処理装置は、前記係数選択情報作成回路が、再生モードが通常モードか低電力モードかを示す電力モード情報を係数選択情報として作成し、前記係数選択回路が、前記係数選択情報である電力モード情報に基づいて、前記係数テーブルからＰＲ係数を選択することを特徴とするものである。
【００１４】
また、本発明にかかるＰＲＭＬ処理装置は、前記係数選択情報作成回路が、再生を行なうディスクのジッタ情報から判断されたディスクの品質の良否についての情報を係数選択情報として作成し、前記係数選択回路が、前記係数選択情報であるディスクの品質の良否についての情報に基づいて前記係数テーブルからＰＲ係数を選択することを特徴とするものである。
【００１５】
また、本発明にかかるＰＲＭＬ処理装置は、前記係数選択情報作成回路が、再生を行なうディスクが書き換え可能ディスクであるか否かの情報を係数選択情報として作成し、前記係数選択回路が、前記係数選択情報である書き換え可能ディスクであるか否かの情報に基づいて前記係数テーブルからＰＲ係数を選択することを特徴とするものである。
【００１６】
また、本発明にかかるＰＲＭＬ処理装置は、前記係数選択情報作成回路がディスクを高倍速で再生するか否かの情報を係数選択情報として作成し、前記係数選択回路が、前記係数選択情報である高倍速で再生するか否かの情報に基づいて前記係数テーブルからＰＲ係数を選択することを特徴とするものである。
【００１７】
また、本発明にかかるＰＲＭＬ処理装置は、前記係数テーブルが、前記係数選択情報作成部から与えられる係数選択情報に対して最も適当と思われるＰＲ係数と、該ＰＲ係数を与える係数選択情報とを対にして記憶することを特徴とするものである。
【００１８】
また、本発明にかかるＰＲＭＬ処理装置は、前記係数テーブルに記憶されるＰＲ係数は、同じ係数構成からなるＰＲ係数であることを特徴とするものである。
【００１９】
【発明の実施の形態】
（実施の形態１）
以下に、本発明の実施の形態１にかかるＰＲＭＬ処理装置について図１から図３を用いて説明する。
【００２０】
図１は本発明の実施の形態１によるＰＲＭＬ処理装置の構成を示すブロック図である。
図１において、本発明にかかるＰＲＭＬ装置は、波形等化処理回路１１と、軟判定復号回路１２と、係数選択情報作成回路１３と、係数選択回路１４と、係数テーブル１５とから構成される。
【００２１】
波形等化処理回路１１は、外部入力であるディスクからの再生信号を入力とし、係数選択回路１４から出力されるＰＲ係数に基づいて波形等化処理を行なう。
【００２２】
軟判定復号回路１２は、波形等化処理回路１１からの出力を入力とし、係数選択回路１４から出力されるＰＲ係数に基づいて、軟判定復号を行なう。
【００２３】
係数選択情報作成回路１３は、係数選択回路１４においてＰＲ係数を特定するための情報である係数選択情報を作成する。なお、ここでは、再生を行なうディスクの種類がＣＤ、ＤＶＤ、Ｂｌｕ−Ｒａｙ  Ｄｉｓｋの何れであるかを示す使用ディスク情報と再生モードが通常モードか低電力モードかを示す電力モード情報とが係数選択情報として作成されるものとする。
【００２４】
係数選択回路１４は、係数選択情報作成回路１３で作成された係数選択情報に基づいてＰＲ係数を係数テーブル１５から選択し、波形等化処理回路１１及び軟判定復号回路１２に選択したＰＲ係数を出力する。
【００２５】
係数テーブル１５は、係数選択情報とＰＲ係数とを対として保持するものであり、本実施の形態１では、図２に示すような係数テーブル１５を有するものとする。すなわち、図２に示すように、係数テーブル１５は、ＰＲ係数と係数選択情報とを対として格納しており、係数選択回路１４は、係数選択情報作成回路１３から出力される係数選択情報に合致するＰＲ係数を図２に示す係数テーブル１５から選択することとなる。
【００２６】
次に、ＰＲ係数と係数選択情報とを対として格納する係数テーブル１５の作成方法について具体例を挙げながら説明する。
【００２７】
係数テーブル１５は、係数選択情報作成部１３により作成され得る係数選択情報にそれぞれ対応するＰＲ係数を保持するものである。
【００２８】
そして、かかる係数テーブル１５の係数選択情報に対応するＰＲ係数の設定方法として、図２に示すように、ＰＲ係数の係数構成に拘束されることなく、係数選択情報作成部１３から与えられ得る係数選択情報に対して最も適当と思われるＰＲ係数を設定しておく方法がある。
【００２９】
また、ＰＲＭＬ処理装置において使用されるＰＲ係数は、互いに類似しているものの方が回路構成的に簡潔な回路とすることが可能であるため、例えば、（ａ，ｂ，ｂ，ａ）、（ｃ，ｄ，ｄ，ｃ）、（ｅ，ｆ，ｆ，ｅ）のような、４つの係数構成からなるＰＲ係数等、同じ係数構成のＰＲ係数からなるテーブルを用意する方法がある。なお、この場合には、信号品質は多少劣るものの、図２に示すような複数の係数構成からなるテーブルを用意する場合に比べ大幅な回路の削減が可能となる。なお、上記ａ〜ｆは、正の整数を表すものとする。
【００３０】
また、上述のような方法で設定するＰＲ係数は、そのＰＲ係数の構成が、例えば、（ａ，ｂ，ａ）から（ａ，ｂ，ｂ，ａ）のように、３つから４つに増えた場合には、ＰＲＭＬ処理の性能の向上を図ることができるが、回路構成が複雑となってしまうため、ＰＲ係数は、その構成を含めて、ＰＲＭＬ処理装置に求められている性能及び許容される回路規模の範囲内で、最適なＰＲ係数を設定する必要がある。なお、上記ａ〜ｂは、正の整数を表すものとする。
【００３１】
次に、動作について説明する。
図３は本発明の実施の形態１によるＰＲＭＬ処理装置の動作を説明するためのフローチャートである。
【００３２】
（ステップＳ１１）まず、ディスクからの再生信号の入力を受けた係数選択情報作成回路１３は、再生信号に含まれるピックアップレーザの反射量と読み取りＲＦ信号によりディスクがＣＤ、ＤＶＤ、Ｂｌｕ−Ｒａｙ  Ｄｉｓｋの何れであるかを判別し、判別したディスクの種類を示す使用ディスク情報を作成するとともに、外部ＩＦ（図示せず）等を介して外部から入力される、再生モードに関する情報に基づいて再生モードが低電力モードであるか否かを示す電力モード情報を作成する。そして、かかる使用ディスク情報及び電力モード情報を係数選択情報として、係数選択回路１４に出力する。
【００３３】
（ステップＳ１２）次に、係数選択回路１４は、係数選択情報作成回路１３から出力される係数選択情報に合致するＰＲ係数を係数テーブル１５から選択し、選択したＰＲ係数を波形等化処理回路１１及び軟判定復号回路１２に出力する。例えば、係数選択情報の使用ディスク情報がＤＶＤである旨を示し、電力モード情報が低電力モードである旨を示すような場合には、係数選択回路１４は係数テーブル１５から、使用ディスクがＤＶＤで電力モードが低電力モードに対応するＰＲ係数（１，２，２，１）を選択し、波形等化処理回路１１及び軟判定復号回路１２に出力する。
【００３４】
（ステップＳ１３）そして、波形等化処理回路１１は、ディスクからの再生信号を入力とし、係数選択回路１４から出力されるＰＲ係数に基づいて波形等化処理を行なう。
【００３５】
（ステップＳ１４）また、軟判定復号回路１２は、波形等化処理回路１１からの出力を入力とし、係数選択回路１４から出力されるＰＲ係数に基づいて軟判定復号を行い、復号信号を出力する。
【００３６】
以上、ステップＳ１１からステップＳ１４によりＰＲＭＬ処理装置の動作を終了する。
【００３７】
このように、本発明の実施の形態１によるＰＲＭＬ処理装置によれば、使用されるディスクの種類や消費電力モードに関する情報である係数選択情報に基づいて係数テーブル１５から該係数選択情報に合致するＰＲ係数を選択し、該選択したＰＲ係数を用いて波形等化処理及び軟判定復号処理を行なうことにより、使用されるディスクの種類や消費電力モードに応じて、波形等化処理回路１１及び軟判定復号回路１２で使用するＰＲ係数を変更することができ、ユーザの使用目的に応じたＰＲＭＬ処理を行うことができるＰＲＭＬ処理装置を提供することが可能となる。
【００３８】
なお、本発明の実施の形態１では、係数選択情報作成回路１３において使用ディスク情報及び電力モード情報を係数選択情報として作成するものについて説明したが、係数選択情報作成回路１３において作成される係数選択情報は、係数選択回路１４においてＰＲ係数を特定するための情報であればよく、例えば、再生を行なうディスクのジッタ情報から判断されたディスクの品質の良否についての情報、再生を行なうディスクが書き換え可能ディスクであるか否かの情報、及びディスクを高倍速で再生するか否かの情報等を係数選択情報として作成し、係数選択情報作成回路１３において作成され得る係数選択情報にそれぞれ対応するＰＲ係数を係数テーブル１５に予め設けておくようにしてもよく、これにより、波形等化処理回路１１及び軟判定復号回路１２によりＰＲＭＬ処理を行なう際のＰＲ係数を適宜変更することが可能となる。
【００３９】
また、このように、再生を行なうディスクのジッタ情報から判断されたディスクの品質の良否についての情報に基づいてＰＲ係数の変更を行なった場合には、ディスクの品質の良否により、ＰＲＭＬ処理の性能の変更が可能となる効果を得ることができ、また、再生を行なうディスクが書き換え可能ディスクであるか否かの情報に基づいてＰＲ係数の変更を行なった場合には、一般に信号品質が良くない書き換え可能ディスクに対してのみ、高性能なＰＲＭＬ処理を行う等の処理をすることができ、また、ディスクを高倍速で再生するか否かの情報に基づいてＰＲ係数の変更を行なった場合には、符号間干渉を受けるような高倍速の再生を行なう時にのみ、符号間干渉に対して有利な多係数のＰＲ係数、例えば、（１，１）より（１，２，１）を用いてＰＲＭＬ処理を行うことができる等の効果が得られる。
【００４０】
また、本発明の実施の形態１では、係数テーブル１５が図２に示すような係数テーブルを保持し、係数選択回路１４が係数選択情報に基づいて波形等化回路１１と軟判定復号回路１２とに同じＰＲ係数を与えるものについて説明したが、波形等化回路１１と軟判定復号回路１２とに与えるＰＲ係数は異なるものであっても良く、該両回路１１、１２に異なるＰＲ係数を与えるような係数テーブルを予め設けることにより実現可能である。
【００４１】
【発明の効果】
以上のように、本発明にかかるＰＲＭＬ処理装置によれば、ＰＲ係数を特定するための情報である係数選択情報を作成する係数選択情報作成回路と、係数選択情報とＰＲ係数とを対にして記憶する係数テーブルと、前記係数テーブルから、前記係数選択情報作成部で作成された係数選択情報に合致するＰＲ係数を選択する係数選択回路と、ディスクからの再生信号を入力とし、前記係数選択回路により選択されたＰＲ係数を用いて波形等化処理を行なう波形等化処理回路と、前記波形等化処理回路の出力を入力とし、前記係数選択回路により選択されたＰＲ係数を用いて軟判定復号を行う復号手段とを備えたことにより、使用されるディスクの種類や消費電力モード等に応じて、前記波形等化処理回路及び前記軟判定復号回路で使用するＰＲ係数を変更することができ、ユーザの使用目的に応じたＰＲＭＬ処理を行うことができるＰＲＭＬ処理装置を提供することが可能となる。
【図面の簡単な説明】
【図１】本発明の実施の形態１によるＰＲＭＬ処理装置の一例を示すブロック図
【図２】本発明の実施の形態１によるＰＲＭＬ処理装置の係数テーブルの一例を示す図
【図３】本発明の実施の形態１によるＰＲＭＬ処理装置の動作を説明するためのフローチャート。
【図４】従来のＰＲＭＬ処理装置を示すブロック図
【符号の説明】
１１、１０１  波形等化処理回路
１２、１０２  軟判定復号回路
１３  係数選択情報作成回路
１４  係数選択回路
１５  係数テーブル
【図１】
2004234790.tif 000003
【図２】
2004234790.tif 000004
【図３】
2004234790.tif 000005
【図４】
2004234790.tif 000006